(57)【特許請求の範囲】
【請求項１】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行う仮決定部と、
前記第１の表示部と、
前記第１の入力部と、
前記仮決定の結果を示す仮表示端末情報と、自端末の表示部の有無および自端末の入力部の有無に関する第１の情報とを含む無線データを前記設定端末に対して送信する送信部と、
前記表示端末の役割を担う端末を示す希望表示端末情報と、前記無線データを受信した無線通信端末の表示部の有無および入力部の有無に関する第２の情報とを含み、前記無線データを受信した無線通信端末から送信される応答データを前記設定端末から受信する受信部と、
前記希望表示端末情報と、前記第２の情報とに基づいて、前記表示端末の役割を前記参加希望端末と前記設定端末とのいずれが担うのかを決定する決定部と、
を有し、前記参加希望端末である無線通信端末。
【請求項２】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、表示部の有無および入力部の有無に関する第１の情報とを含む無線データを前記参加希望端末から受信する受信部と、
前記第２の表示部と、
前記第２の入力部と、
前記仮表示端末情報と、前記第１の情報とに基づいて、前記表示端末の役割を前記参加希望端末と前記設定端末とのいずれが担うのかを決定する決定部と、
決定した前記表示端末の役割を担う端末を示す希望表示端末情報と、自端末の表示部の有無および自端末の入力部の有無に関する第２の情報とを含む応答データを、前記参加希望端末へ送信する送信部と、
を有し、前記設定端末である無線通信端末。
【請求項３】
前記第１の表示部は、前記決定部によって決定された前記表示端末の役割を担う端末が自端末であった場合、前記無線ネットワークの表示用の識別情報を表示する請求項１に記載の無線通信端末。
【請求項４】
前記第２の表示部は、前記決定部によって決定された前記表示端末の役割を担う端末が自端末であった場合、前記無線ネットワークの表示用の識別情報を表示する請求項２に記載の無線通信端末。
【請求項５】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、前記参加希望端末の表示部の有無および入力部の有無に関する第１の情報とを含む第１の無線データを前記参加希望端末から受信し、前記設定端末の表示部の有無および入力部の有無に関する第２の情報を含む第２の無線データを前記設定端末から受信する受信部と、
前記仮表示端末情報と、前記第１の情報とに基づいて、前記表示端末の役割を前記参加希望端末と前記設定端末とのいずれが担うのかを決定する決定部と、
決定した前記表示端末の役割を担う端末を示す希望表示端末情報と、前記第２の情報とを含む応答データを前記参加希望端末へ送信し、前記希望表示端末情報を含む通知データを前記設定端末へ送信する送信部と、
を有し、前記無線ネットワークに参加中の前記設定端末とは異なる参加中端末である無線通信端末。
【請求項６】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を、前記参加希望端末が行う仮決定ステップと、
前記仮決定の結果を示す仮表示端末情報と、自端末の表示部の有無および自端末の入力部の有無に関する第１の情報とを含む無線データを、前記参加希望端末が送信する送信ステップと、
前記表示端末の役割を担う端末を示す希望表示端末情報と、前記無線データを受信した無線通信端末の表示部の有無および入力部の有無に関する第２の情報とを含み、前記無線データを受信した無線通信端末から送信される応答データを、前記参加希望端末が受信する受信ステップと、
前記希望表示端末情報と、前記第２の情報とに基づいて、前記表示端末の役割を前記参加希望端末と前記設定端末とのいずれが担うのかを、前記参加希望端末が決定する決定ステップと、
を有する無線通信方法。
【請求項７】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、表示部の有無および入力部の有無に関する第１の情報とを含む無線データを、前記設定端末が受信する受信ステップと、
前記仮表示端末情報と、前記第１の情報とに基づいて、前記表示端末の役割を前記参加希望端末と前記設定端末とのいずれが担うのかを、前記設定端末が決定する決定ステップと、
決定した前記表示端末の役割を担う端末を示す希望表示端末情報と、自端末の表示部の有無および自端末の入力部の有無に関する第２の情報とを含む応答データを、前記設定端末が前記無線データを送信した無線通信端末へ送信する送信ステップと、
を有する無線通信方法。
【請求項８】
無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、前記参加希望端末の表示部の有無および入力部の有無に関する第１の情報とを含む第１の無線データを前記参加希望端末から受信し、前記設定端末の表示部の有無および入力部の有無に関する第２の情報を含む第２の無線データを、前記無線ネットワークに参加中の前記設定端末とは異なる参加中端末が前記設定端末から受信する受信ステップと、
前記仮表示端末情報と、前記第１の情報とに基づいて、前記表示端末の役割を前記参加希望端末と前記設定端末とのいずれが担うのかを、前記参加中端末が決定する決定ステップと、
決定した前記表示端末の役割を担う端末を示す希望表示端末情報と、前記第２の情報とを含む応答データを前記参加希望端末へ送信し、前記希望表示端末情報を含む通知データを、前記参加中端末が前記設定端末へ送信する送信ステップと、
を有する無線通信方法。
【請求項９】
無線通信を行う参加希望端末と設定端末とを有する無線通信システムであって、
前記参加希望端末は、
無線ネットワークの表示用の識別情報を表示する表示端末の役割を当該無線ネットワークへの参加を希望する参加希望端末と、当該参加希望端末が当該無線ネットワークへの参加接続設定を行う相手である設定端末と、のいずれが担うのかの仮決定を行う仮決定部と、
前記識別情報を表示する第１の表示部と、
前記識別情報を入力する第１の入力部と、
前記仮決定の結果を示す仮表示端末情報と、自端末の表示部の有無および自端末の入力部の有無に関する第１の情報とを含む無線データを送信する第１の送信部と、
前記表示端末の役割を担う端末を示す希望表示端末情報と、前記無線データを受信した前記設定端末の表示部の有無および入力部の有無に関する第２の情報とを含み、前記設定端末から送信される応答データを受信する第１の受信部と、
前記希望表示端末情報と、前記第２の情報とに基づいて、前記表示端末の役割を前記参加希望端末と前記設定端末とのいずれが担うのかを決定する第１の決定部と、を有し、
前記設定端末は、
前記識別情報を表示する第２の表示部と、
前記識別情報を入力する第２の入力部と、
前記無線データを受信する第２の受信部と、
前記仮表示端末情報と、前記第１の情報とに基づいて、前記表示端末の役割を前記参加希望端末と前記設定端末とのいずれが担うのかを決定する第２の決定部と、
決定した前記表示端末の役割を担う端末を示す前記希望表示端末情報と、自端末の表示部の有無および自端末の入力部の有無に関する前記第２の情報とを含む応答データを前記参加希望端末へ送信する第２の送信部と、
を有する無線通信システム。
【請求項１０】
無線ネットワークへの参加を希望する参加希望端末と、当該参加希望端末が当該無線ネットワークへの参加接続設定を行う相手である設定端末と、当該無線ネットワークに参加しており、前記設定端末とは異なる参加中端末とを有する無線通信システムであって、
前記参加希望端末は、
無線ネットワークの表示用の識別情報を表示する表示端末の役割を、前記参加希望端末と前記設定端末と、のいずれが担うのかの仮決定を行う仮決定部と、
前記識別情報を表示する第１の表示部と、
前記識別情報を入力する第１の入力部と、
前記仮決定の結果を示す仮表示端末情報と、自端末の表示部の有無および自端末の入力部の有無に関する第１の情報とを含む第１の無線データを送信する第１の送信部と、
前記表示端末の役割を担う端末を示す希望表示端末情報と、前記第１の無線データを受信した前記設定端末の表示部の有無および入力部の有無に関する第２の情報とを含み、前記参加中端末から送信される応答データを受信する第１の受信部と、
前記希望表示端末情報と、前記第２の情報とに基づいて、前記表示端末の役割を前記参加希望端末と前記設定端末とのいずれが担うのかを決定する第１の決定部と、を有し、
前記参加中端末は、
前記参加希望端末から前記第１の無線データを受信し、前記設定端末から前記第２の情報を含む第２の無線データを受信する第２の受信部と、
前記仮表示端末情報と、前記第１の情報とに基づいて、前記表示端末の役割を前記参加希望端末と前記設定端末とのいずれが担うのかを決定する第２の決定部と、
決定した前記表示端末の役割を担う端末を示す前記希望表示端末情報と前記第２の情報とを含む応答データを前記参加希望端末へ送信し、前記希望表示端末情報を含む通知データを前記設定端末へ送信する第２の送信部と、を有し、
前記設定端末は、
前記識別情報を表示する第２の表示部と、
前記識別情報を入力する第２の入力部と、
前記第２の無線データを送信する第３の送信部と、
前記通知データを受信する第３の受信部と、
を有する無線通信システム。
【発明の詳細な説明】
【技術分野】
【０００１】
本発明は、無線ネットワークの表示用の識別情報を表示する表示端末の役割を決定する無線通信端末、無線通信方法、および無線通信システムに関する。
【背景技術】
【０００２】
従来、無線ＬＡＮ機能を有する通信端末がアクセスポイント（以下、ＡＰと略記する）の提供するネットワーク（インフラストラクチャネットワーク）に参加するには、通信端末において無線の接続やセキュリティのセットアップを行う必要があり、これには通信端末上で様々な設定の入力を要していた。この設定の入力は複雑なものであったため、特に無線ＬＡＮ技術に不慣れなユーザにとっては、セットアップを行うのは困難であった。
【０００３】
この問題に対し、無線の接続やセキュリティのセットアップを簡単に行い、通信端末をインフラストラクチャネットワークに参加させるための無線ＬＡＮの業界標準の技術として、非特許文献１が公開されている。この非特許文献１であるＷｉ−Ｆｉ  Ｐｒｏｔｅｃｔｅｄ  Ｓｅｔｕｐ（ＴＭ）  Ｓｐｅｃｉｆｉｃａｔｉｏｎ  １．０（以下、ＷＰＳと略する）は、例えば、ｈｔｔｐｓ：／／ｗｗｗ．ｗｉ−ｆｉ．ｏｒｇ／ｋｎｏｗｌｅｄｇｅ＿ｃｅｎｔｅｒ＿ｏｖｅｒｖｉｅｗ．ｐｈｐ？ｔｙｐｅ＝４より入手可能である。
【０００４】
ＷＰＳではいくつかのセットアップ方法が規定されており、そのうちの一つとして、無線ネットワークの表示用の識別情報であるＰＩＮコードを用いる方式（以下、ＰＩＮ方式と略する）がある。ＰＩＮ方式では、無線ＬＡＮ機能を有しネットワークへの参加を希望する外部端末に表示されたＰＩＮコードをＡＰへ入力することでセットアップを行うことができる。ここで、ＡＰへのＰＩＮコードの入力は、例えばＡＰのネットワーク内の端末からブラウザを用いて入力することにより実施できる。
【０００５】
一方、近年、ＡＰを必要とするインフラストラクチャモードとは異なり、通信端末同士が直接無線ＬＡＮ通信を行うアドホックモードが、ゲーム機やカメラといった携帯型端末を中心に普及し始めている。アドホックモードでは、インフラストラクチャモードにおけるＡＰのような、ネットワーク内で中心となる端末は存在せず、それぞれの端末が対等な立場で通信を行う。ｈｔｔｐ：／／ｓｔａｎｄａｒｄｓ．ｉｅｅｅ．ｏｒｇ／ｇｅｔｉｅｅｅ８０２／ｄｏｗｎｌｏａｄ／８０２．１１−２００７．ｐｄｆとして公開されている非特許文献２には、インフラストラクチャモードおよびアドホックモードにおける通信方法が記載されている。
【先行技術文献】
【非特許文献】
【０００６】
【非特許文献１】Ｗｉ−Ｆｉ  Ｐｒｏｔｅｃｔｅｄ  Ｓｅｔｕｐ（ＴＭ）  Ｓｐｅｃｉｆｉｃａｔｉｏｎ  １．０
【非特許文献２】ＩＥＥＥ  Ｓｔｄ．  ８０２．１１（ＴＭ）−２００７
【発明の概要】
【発明が解決しようとする課題】
【０００７】
アドホックモードにおいても、インフラストラクチャモードと同様に無線の接続やセキュリティのセットアップは複雑であり、従来のＷＰＳをアドホックネットワークでも動作できるように適用することが望ましい。しかし、それぞれの端末は対等な立場であるため、それぞれの端末がＰＩＮコードの表示と入力のいずれも可能である場合に、ＰＩＮコードの表示をどちらの端末で行うか、またＰＩＮコードの入力をどちらの端末で行うかを決定することができない。これにより、双方の端末でＰＩＮコードが表示される、または双方の端末でＰＩＮコードの入力待ちになるというように表示と入力の関係が成立せずにセットアップ失敗、あるいはＰＩＮコードの表示または入力を行う端末を決定できずにエラー終了といった結果に終わる可能性がある。簡単にセットアップを行うためにユーザはＷＰＳを使用したにもかかわらずセットアップが失敗に終わるようではユーザの利便性が低下してしまう。
【０００８】
本発明は、上述した課題に鑑みてなされたものであって、無線ネットワークの表示用の識別情報を表示する表示端末の役割を決定し、無線通信に係る接続設定の失敗を低減することができる無線通信端末、無線通信方法、および無線通信システムを提供することを目的とする。
【課題を解決するための手段】
【０００９】
本発明は、上記の課題を解決するためになされたもので、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行う仮決定部と、前記第１の表示部および前記第１の入力部と、前記仮決定の結果を示す仮表示端末情報と、自端末の表示部の有無および自端末の入力部の有無に関する第１の情報とを含む無線データを前記設定端末に対して送信する送信部と、前記表示端末の役割を担う端末を示す希望表示端末情報と、前記無線データを受信した無線通信端末の表示部の有無および入力部の有無に関する第２の情報とを含み、前記無線データを受信した無線通信端末から送信される応答データを前記設定端末から受信する受信部と、前記希望表示端末情報と、前記第２の情報とに基づいて、前記表示端末の役割を前記参加希望端末と前記設定端末とのいずれが担うのかを決定する決定部と、を有し、前記参加希望端末である無線通信端末である。
【００１１】
また、本発明は、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、表示部の有無および入力部の有無に関する第１の情報とを含む無線データを前記参加希望端末から受信する受信部と、前記第２の表示部および前記第２の入力部と、前記仮表示端末情報と、前記第１の情報とに基づいて、前記表示端末の役割を前記参加希望端末と前記設定端末とのいずれが担うのかを決定する決定部と、決定した前記表示端末の役割を担う端末を示す希望表示端末情報と、自端末の表示部の有無および自端末の入力部の有無に関する第２の情報とを含む応答データを、前記参加希望端末へ送信する送信部と、を有し、前記設定端末である無線通信端末である。
【００１２】
また、本発明の無線通信端末において、前記第１の表示部は、前記決定部によって決定された前記表示端末の役割を担う端末が自端末であった場合、前記無線ネットワークの表示用の識別情報を表示する。
【００１３】
また、本発明の無線通信端末において、前記第２の表示部は、前記決定部によって決定された前記表示端末の役割を担う端末が自端末であった場合、前記無線ネットワークの表示用の識別情報を表示する。
【００１４】
また、本発明は、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、前記参加希望端末の表示部の有無および入力部の有無に関する第１の情報とを含む第１の無線データを前記参加希望端末から受信し、前記設定端末の表示部の有無および入力部の有無に関する第２の情報を含む第２の無線データを前記設定端末から受信する受信部と、前記仮表示端末情報と、前記第１の情報とに基づいて、前記表示端末の役割を前記参加希望端末と前記設定端末とのいずれが担うのかを決定する決定部と、決定した前記表示端末の役割を担う端末を示す希望表示端末情報と、前記第２の情報とを含む応答データを前記参加希望端末へ送信し、前記希望表示端末情報を含む通知データを前記設定端末へ送信する送信部と、を有し、前記無線ネットワークに参加中の前記設定端末とは異なる参加中端末である無線通信端末である。
【００１５】
また、本発明は、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を、前記参加希望端末が行う仮決定ステップと、前記仮決定の結果を示す仮表示端末情報と、自端末の表示部の有無および自端末の入力部の有無に関する第１の情報とを含む無線データを、前記参加希望端末が送信する送信ステップと、前記表示端末の役割を担う端末を示す希望表示端末情報と、前記無線データを受信した無線通信端末の表示部の有無および入力部の有無に関する第２の情報とを含み、前記無線データを受信した無線通信端末から送信される応答データを、前記参加希望端末が受信する受信ステップと、前記希望表示端末情報と、前記第２の情報とに基づいて、前記表示端末の役割を前記参加希望端末と前記設定端末とのいずれが担うのかを、前記参加希望端末が決定する決定ステップと、を有する無線通信方法である。
【００１６】
また、本発明は、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、表示部の有無および入力部の有無に関する第１の情報とを含む無線データを、前記設定端末が受信する受信ステップと、前記仮表示端末情報と、前記第１の情報とに基づいて、前記表示端末の役割を前記参加希望端末と前記設定端末とのいずれが担うのかを、前記設定端末が決定する決定ステップと、決定した前記表示端末の役割を担う端末を示す希望表示端末情報と、自端末の表示部の有無および自端末の入力部の有無に関する第２の情報とを含む応答データを、前記設定端末が前記無線データを送信した無線通信端末へ送信する送信ステップと、を有する無線通信方法である。
【００１７】
また、本発明は、無線ネットワークの表示用の識別情報を表示する表示端末の役割を、当該識別情報を表示する第１の表示部および前記識別情報を入力する第１の入力部を有し、当該無線ネットワークへの参加を希望する参加希望端末と、当該識別情報を表示する第２の表示部および前記識別情報を入力する第２の入力部を有し、当該参加希望端末が当該無線ネットワークへの参加接続設定を行う相手である設定端末と、のいずれが担うのかの仮決定を行った結果を示す仮表示端末情報と、前記参加希望端末の表示部の有無および入力部の有無に関する第１の情報とを含む第１の無線データを前記参加希望端末から受信し、前記設定端末の表示部の有無および入力部の有無に関する第２の情報を含む第２の無線データを、前記無線ネットワークに参加中の前記設定端末とは異なる参加中端末が前記設定端末から受信する受信ステップと、前記仮表示端末情報と、前記第１の情報とに基づいて、前記表示端末の役割を前記参加希望端末と前記設定端末とのいずれが担うのかを、前記参加中端末が決定する決定ステップと、決定した前記表示端末の役割を担う端末を示す希望表示端末情報と、前記第２の情報とを含む応答データを前記参加希望端末へ送信し、前記希望表示端末情報を含む通知データを、前記参加中端末が前記設定端末へ送信する送信ステップと、を有する無線通信方法である。
【００１８】
また、本発明は、無線通信を行う参加希望端末と設定端末とを有する無線通信システムであって、前記参加希望端末は、無線ネットワークの表示用の識別情報を表示する表示端末の役割を当該無線ネットワークへの参加を希望する参加希望端末と、当該参加希望端末が当該無線ネットワークへの参加接続設定を行う相手である設定端末と、のいずれが担うのかの仮決定を行う仮決定部と、前記識別情報を表示する第１の表示部と、前記識別情報を入力する第１の入力部と、前記仮決定の結果を示す仮表示端末情報と、自端末の表示部の有無および自端末の入力部の有無に関する第１の情報とを含む無線データを送信する第１の送信部と、前記表示端末の役割を担う端末を示す希望表示端末情報と、前記無線データを受信した前記設定端末の表示部の有無および入力部の有無に関する第２の情報とを含み、前記設定端末から送信される応答データを受信する第１の受信部と、前記希望表示端末情報と、前記第２の情報とに基づいて、前記表示端末の役割を前記参加希望端末と前記設定端末とのいずれが担うのかを決定する第１の決定部と、を有し、前記設定端末は、前記識別情報を表示する第２の表示部と、前記識別情報を入力する第２の入力部と、前記無線データを受信する第２の受信部と、前記仮表示端末情報と、前記第１の情報とに基づいて、前記表示端末の役割を前記参加希望端末と前記設定端末とのいずれが担うのかを決定する第２の決定部と、決定した前記表示端末の役割を担う端末を示す前記希望表示端末情報と、自端末の表示部の有無および自端末の入力部の有無に関する前記第２の情報とを含む応答データを前記参加希望端末へ送信する第２の送信部と、を有する無線通信システムである。
【００１９】
また、本発明は、無線ネットワークへの参加を希望する参加希望端末と、当該参加希望端末が当該無線ネットワークへの参加接続設定を行う相手である設定端末と、当該無線ネットワークに参加しており、前記設定端末とは異なる参加中端末とを有する無線通信システムであって、前記参加希望端末は、無線ネットワークの表示用の識別情報を表示する表示端末の役割を、前記参加希望端末と前記設定端末と、のいずれが担うのかの仮決定を行う仮決定部と、前記識別情報を表示する第１の表示部と、前記識別情報を入力する第１の入力部と、前記仮決定の結果を示す仮表示端末情報と、自端末の表示部の有無および自端末の入力部の有無に関する第１の情報とを含む第１の無線データを送信する第１の送信部と、前記表示端末の役割を担う端末を示す希望表示端末情報と、前記第１の無線データを受信した前記設定端末の表示部の有無および入力部の有無に関する第２の情報とを含み、前記参加中端末から送信される応答データを受信する第１の受信部と、前記希望表示端末情報と、前記第２の情報とに基づいて、前記表示端末の役割を前記参加希望端末と前記設定端末とのいずれが担うのかを決定する第１の決定部と、を有し、前記参加中端末は、前記参加希望端末から前記第１の無線データを受信し、前記設定端末から前記第２の情報を含む第２の無線データを受信する第２の受信部と、前記仮表示端末情報と、前記第１の情報とに基づいて、前記表示端末の役割を前記参加希望端末と前記設定端末とのいずれが担うのかを決定する第２の決定部と、決定した前記表示端末の役割を担う端末を示す前記希望表示端末情報と前記第２の情報とを含む応答データを前記参加希望端末へ送信し、前記希望表示端末情報を含む通知データを前記設定端末へ送信する第２の送信部と、を有し、前記設定端末は、前記識別情報を表示する第２の表示部と、前記識別情報を入力する第２の入力部と、前記第２の無線データを送信する第３の送信部と、前記通知データを受信する第３の受信部と、を有する無線通信システムである。
【発明の効果】
【００２０】
本発明によれば、無線通信端末は、通信相手となる他の無線通信端末の表示部の有無および入力部の有無に関する情報と希望表示端末情報または仮表示端末情報とに基づいて、表示端末の役割を参加希望端末と設定端末とのいずれが担うのかを決定するので、無線ネットワークの表示用の識別情報を表示する表示端末の役割を決定し、無線通信に係る接続設定の失敗を低減することができる。
【図面の簡単な説明】
【００２１】
【図１】本発明の第１の実施形態による無線通信端末の構成を示すブロック図である。
【図２】本発明の第１の実施形態による無線通信システムの構成を示すブロック図である。
【図３】本発明の第１の実施形態による無線通信端末の動作の手順を示すフローチャートである。
【図４】本発明の第１の実施形態による無線通信端末の動作の手順を示すフローチャートである。
【図５】本発明の第１の実施形態による無線通信端末の動作の手順を示すフローチャートである。
【図６】本発明の第１の実施形態による設定端末の動作を示すシーケンス図である。
【図７】本発明の第１の実施形態による参加希望端末の動作を示すシーケンス図である。
【図８】本発明の第２の実施形態による無線通信端末の動作の手順を示すフローチャートである。
【図９】本発明の第２の実施形態による無線通信端末の動作の手順を示すフローチャートである。
【図１０】本発明の第２の実施形態による無線通信端末の動作の手順を示すフローチャートである。
【図１１】本発明の第２の実施形態による無線通信端末の動作の手順を示すフローチャートである。
【図１２】本発明の第２の実施形態による無線通信端末の動作の手順を示すフローチャートである。
【図１３】本発明の第２の実施形態による無線通信端末の動作の手順を示すフローチャートである。
【図１４】本発明の第２の実施形態による設定端末の動作を示すシーケンス図である。
【図１５】本発明の第２の実施形態による参加希望端末の動作を示すシーケンス図である。
【図１６】従来の設定端末の動作を示すシーケンス図である。
【図１７】従来の参加希望端末の動作を示すシーケンス図である。
【発明を実施するための形態】
【００２２】
以下、図面を参照し、本発明の実施形態を説明する。
【００２３】
（第１の実施形態）
まず、本発明の第１の実施形態を説明する。図１は、本実施形態による無線通信端末の構成を示している。図１に示す無線通信端末１は、制御部１０と、入力部１３と、表示部１４と、記憶部１５と、送信部１６と、受信部１７とを有する。
【００２４】
制御部１０は、決定部１１と、設定部１２とを有し、無線通信に係る各種制御を行う。決定部１１は、無線ネットワークの表示用の識別情報であるＰＩＮコードの表示端末の役割を有する無線通信端末を決定する処理を行う。設定部１２は、他の無線通信端末とアドホックネットワークを形成する際に必要なＰＩＮコードの生成や、暗号化方式および暗号鍵等の設定を行う。
【００２５】
入力部１３は、ユーザが無線通信端末１に情報を入力するために使用するフルキーボード、テンキー、あるいは十字キーとＯＫ／キャンセルボタン等を有する。本実施形態では、ユーザが入力部１３を使用してＰＩＮコードを入力することを想定している。表示部１４は、無線通信端末１の状態やＰＩＮコード等の各種情報を表示する。記憶部１５は、無線通信端末１の状態等の各種情報を記憶する。送信部１６は無線通信により他の無線通信端末へ情報を送信する。受信部１７は無線通信により他の無線通信端末から情報を受信する。
【００２６】
図２は、アドホックネットワークに新たな無線通信端末が参加する状況を示している。アドホックネットワーク１８０には端末１３０と端末１４０が参加している。端末１３０は設定端末として動作し、端末１４０は参加中端末として動作する。これら２台の端末が参加しているアドホックネットワーク１８０に対して参加希望端末１５０が参加を希望する。
【００２７】
本明細書における設定端末、参加中端末、参加希望端末は以下の通りである。アドホックネットワークに所属している端末は、セットアップ用のアプリケーションが開始されると設定端末として動作する。アドホックネットワークに所属している端末は、セットアップ用のアプリケーションが開始されていないと参加中端末として動作する。
【００２８】
一方、アドホックネットワークに所属していない端末は、セットアップ用のアプリケーションが開始されると、まず設定端末として動作を開始して参加希望端末を探す。設定端末として動作を開始してから所定の期間内に参加希望端末を発見できなかった場合、端末は設定端末としての動作を中止して参加希望端末として動作を開始して設定端末または参加中端末を探す。参加希望端末として動作を開始してから所定の期間内に設定端末あるいは参加中端末のいずれも発見できなかった場合、端末は参加希望端末としての動作を中止して再度設定端末としての動作を開始する。以降、端末を発見できるまで設定端末、参加希望端末としての動作を繰り返す。
【００２９】
なお、設定端末が所属しているネットワークに関する無線およびセキュリティ情報を、ＥＡＰメッセージを用いて設定端末から参加希望端末へ安全に送信するＲｅｇｉｓｔｒａｔｉｏｎが完了（例えば図６のように、Ｍ８までのＥＡＰメッセージ交換が完了して、ＥＡＰ−Ｆａｉｌで終了）すると、参加希望端末および設定端末はその役割を終了する。
【００３０】
本実施形態のＰＩＮ方式では、アドホックネットワークに所属している端末と、アドホックネットワークに所属せずアドホックネットワークへの参加を希望する端末とのうち一方がＰＩＮコードの表示端末となり、他方がＰＩＮコードの入力端末となる。ユーザが、表示端末によって表示されたＰＩＮコードを入力端末に入力することで自動的にセットアップが行われる。
【００３１】
図３および図４は、ＰＩＮ方式によるセットアップの手順を示しており、主に設定端末側の動作手順を示している。図３および図４に示す手順の概要は以下の通りである。
（１）ＰＩＮコードを表示する表示端末の役割を、設定端末、参加希望端末のどちらが担うのかを仮決定する。
（２）仮決定の内容に応じた値をＢｅａｃｏｎにセットして繰り返し送信する。
（３）参加希望端末から送信されたＰｒｏｂｅ  Ｒｅｑｕｅｓｔを受信し、参加希望端末がＰＩＮコードの表示、入力のいずれも可能である場合は、Ｐｒｏｂｅ  Ｒｅｑｕｅｓｔに含まれるＤｅｖｉｃｅ  Ｐａｓｓｗｏｒｄ  ＩＤの値に従い、ＰＩＮコードの表示端末を採用する。
（４）採用した内容に従い、Ｐｒｏｂｅ  Ｒｅｓｐｏｎｓｅを参加希望端末へ送信する。
（５）採用した内容に従い、ＰＩＮコードの生成・表示、またはＰＩＮコードの入力受付を行う。
【００３２】
以下、図３および図４の詳細を説明する。なお、図３および図４に示す手順に従って動作する設定端末は、図１に示す無線通信端末１であるものとする。決定部１１は、ＰＩＮコードの表示端末の役割を、設定端末（Ｒｅｇｉｓｔｒａｒ）と参加希望端末（Ｅｎｒｏｌｌｅｅ）のいずれが担うのかを仮決定し、仮決定の結果を記憶部１５に記録する（ステップＳ１０１）。
【００３３】
ステップＳ１０１においてＰＩＮコードの表示端末を仮決定する方法として、以下のように様々な方法を用いることができる。なお、以下の方法は、他のステップでＰＩＮコードの表示端末を仮決定する際にも用いることができる。
・自端末の表示能力（ＬＣＤの解像度や色数など）や入力能力（フルキーボード、テンキー、あるいは十字キーとＯＫ／キャンセルボタンのみ等）を考慮して決定する。自端末の表示能力が高ければ自端末を、入力能力が高ければ相手端末を表示端末とする。
・常に自端末を表示端末とする。あるいは常に相手端末を表示端末とする。
・ＣＰＵが生成する乱数に基づきランダムに表示端末を決定する。
・ＢｅａｃｏｎやＰｒｏｂｅ  Ｒｅｑｕｅｓｔ等のフレームを受信していれば、そのフレームによって通知される送信元端末のＭＡＣアドレスと自端末のＭＡＣアドレスとの大小を比較して表示端末を決定する。例えば、ＭＡＣアドレスが大きいほうを表示端末とする。
・ＢｅａｃｏｎやＰｒｏｂｅ  Ｒｅｑｕｅｓｔ等のフレームを受信していれば、そのフレームに含まれるＤｅｖｉｃｅ  Ｐａｓｓｗｏｒｄ  ＩＤの値に基づいて決定する。
【００３４】
続いて、決定部１１は、自端末が設定端末であるか否かを判定する（ステップＳ１０２）。記憶部１５には、自端末が設定端末、参加中端末、参加希望端末のいずれであるのかを識別する情報が記憶されており、ステップＳ１０２ではこの情報に基づいて判定が行われる。自端末が設定端末でなかった場合、処理は図５のステップＳ１３０に移行する。自端末が設定端末であった場合、決定部１１は、ステップＳ１０１で仮決定した表示端末の役割を担う端末が設定端末であるか否かを判定する（ステップＳ１０３）。
【００３５】
表示端末の役割を担う端末が設定端末でない場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＤｅｆａｕｌｔをセットしたＢｅａｃｏｎを所定のタイミングで繰り返し送信する（ステップＳ１０４）。表示端末の役割を担う端末が設定端末である場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットしたＢｅａｃｏｎを所定のタイミングで繰り返し送信する（ステップＳ１０５）。
【００３６】
Ｓｅｌｅｃｔｅｄ  Ｒｅｇｉｓｔｒａｒ  Ｃｏｎｆｉｇ  Ｍｅｔｈｏｄｓは、設定端末となった端末がサポートするセットアップ方法を示している。ＤｉｓｐｌａｙはＰＩＮコード表示が可能な表示機能を有することを示し、ＬａｂｅｌはＰＩＮコードをシールなどで端末に添付していることを示している。ＫｅｙｐａｄはＰＩＮコードを入力可能なインターフェースを有していることを示している。Ｄｅｖｉｃｅ  Ｐａｓｓｗｏｒｄ  ＩＤは、Ｒｅｇｉｓｔｒａｔｉｏｎの動作中に使用するＰＩＮコードに何を用いるかを示している。ＤｅｆａｕｌｔはＥｎｒｏｌｌｅｅのＰＩＮコードを使用することを示し、Ｒｅｇｉｓｔｒａｒ−ｓｐｅｃｉｆｉｅｄはＲｅｇｉｓｔｒａｒのＰＩＮコードを使用することを示している。Ｓｅｌｅｃｔｅｄ  Ｒｅｇｉｓｔｒａｒ  Ｃｏｎｆｉｇ  ＭｅｔｈｏｄｓおよびＤｅｖｉｃｅ  Ｐａｓｓｗｏｒｄ  ＩＤの詳細は非特許文献１に記載されている。
【００３７】
Ｂｅａｃｏｎは、アドホックネットワークを形成する装置それぞれが所定の手続きに従って順次交代して送信し続けるメッセージである。Ｂｅａｃｏｎの詳細は非特許文献２に記載されている。
【００３８】
続いて、決定部１１は、Ｐｒｏｂｅ  Ｒｅｑｕｅｓｔを受信したか否かを判定する（ステップＳ１０６）。Ｐｒｏｂｅ  Ｒｅｑｕｅｓｔを受信していない場合、再度ステップＳ１０６の処理が行われる。Ｐｒｏｂｅ  Ｒｅｑｕｅｓｔを受信した場合、決定部１１は、Ｐｒｏｂｅ  Ｒｅｑｕｅｓｔ内のＣｏｎｆｉｇ  ＭｅｔｈｏｄｓにＤｉｓｐｌａｙまたはＬａｂｅｌ（第１の情報）が含まれるか否かを判定する（ステップＳ１０７）。この判定は、Ｐｒｏｂｅ  Ｒｅｑｕｅｓｔを送信した参加希望端末の表示能力に関する判定である。Ｃｏｎｆｉｇ  Ｍｅｔｈｏｄｓは、Ｐｒｏｂｅ  Ｒｅｑｕｅｓｔを送信した端末がサポートするセットアップ方法を示している。値については、Ｓｅｌｅｃｔｅｄ  Ｒｅｇｉｓｔｒａｒ  Ｃｏｎｆｉｇ  Ｍｅｔｈｏｄｓと同様である。
【００３９】
Ｃｏｎｆｉｇ  ＭｅｔｈｏｄｓにＤｉｓｐｌａｙまたはＬａｂｅｌが含まれる場合、決定部１１は、Ｃｏｎｆｉｇ  ＭｅｔｈｏｄｓにＫｅｙｐａｄ（第１の情報）が含まれるか否かを判定する（ステップＳ１０８）。この判定は、Ｐｒｏｂｅ  Ｒｅｑｕｅｓｔを送信した参加希望端末の入力能力に関する判定である。
【００４０】
Ｃｏｎｆｉｇ  ＭｅｔｈｏｄｓにＫｅｙｐａｄが含まれる場合、決定部１１は、Ｐｒｏｂｅ  Ｒｅｑｕｅｓｔ内のＤｅｖｉｃｅ  Ｐａｓｓｗｏｒｄ  ＩＤがＤｅｆａｕｌｔ（仮表示端末情報）の場合には参加希望端末をＰＩＮコードの表示端末として採用し、Ｄｅｖｉｃｅ  Ｐａｓｓｗｏｒｄ  ＩＤがＲｅｇｉｓｔｒａｒ−ｓｐｅｃｉｆｉｅｄ（仮表示端末情報）の場合には設定端末をＰＩＮコードの表示端末として採用すると決定し、決定の結果を記憶部１５に記録する（ステップＳ１０９）。Ｃｏｎｆｉｇ  ＭｅｔｈｏｄｓにＫｅｙｐａｄが含まれない場合、決定部１１は、参加希望端末をＰＩＮコードの表示端末として採用すると決定し、決定の結果を記憶部１５に記録する（ステップＳ１１０）。
【００４１】
ステップＳ１０７において、Ｐｒｏｂｅ  Ｒｅｑｕｅｓｔ内のＣｏｎｆｉｇ  ＭｅｔｈｏｄｓにＤｉｓｐｌａｙもＬａｂｅｌも含まれない場合、決定部１１は、Ｃｏｎｆｉｇ  ＭｅｔｈｏｄｓにＫｅｙｐａｄ（第１の情報）が含まれるか否かを判定する（ステップＳ１１１）。この判定は、Ｐｒｏｂｅ  Ｒｅｑｕｅｓｔを送信した参加希望端末の入力能力に関する判定である。
【００４２】
Ｃｏｎｆｉｇ  ＭｅｔｈｏｄｓにＫｅｙｐａｄが含まれる場合、決定部１１は、設定端末をＰＩＮコードの表示端末として採用すると決定し、決定の結果を記憶部１５に記録する（ステップＳ１１２）。Ｃｏｎｆｉｇ  ＭｅｔｈｏｄｓにＫｅｙｐａｄが含まれない場合、処理が終了する。
【００４３】
ステップＳ１０７〜Ｓ１１２では、決定部１１は、参加希望端末がＰＩＮコードの表示端末として希望する端末の情報、または参加希望端末の表示能力・入力能力の情報に基づいて、表示端末の役割を担う端末を決定している。ステップＳ１０９では、ステップＳ１０７，Ｓ１０８での判定により参加希望端末の表示能力・入力能力は十分であるため、設定端末と参加希望端末のどちらが表示端末になってもよい。そこで、Ｄｅｖｉｃｅ  Ｐａｓｓｗｏｒｄ  ＩＤによって参加希望端末がＰＩＮコードの表示端末として希望する希望する端末が表示端末として採用される。
【００４４】
ステップＳ１１０では、ステップＳ１０７，Ｓ１０８での判定により参加希望端末の表示能力は十分であるが入力能力は十分でないため、参加希望端末がＰＩＮコードの表示端末として採用され、設定端末がＰＩＮコードの入力端末となる。ステップＳ１１２では、ステップＳ１０７，Ｓ１１１での判定により参加希望端末の表示能力は十分でないが入力能力は十分であるため、設定端末がＰＩＮコードの表示端末として採用され、参加希望端末がＰＩＮコードの入力端末となる。
【００４５】
ステップＳ１０９，Ｓ１１０，Ｓ１１２に続いて、決定部１１は、ステップＳ１０９，Ｓ１１０，Ｓ１１２のいずれかで採用したＰＩＮコードの表示端末が設定端末であるか否かを判定する（ステップＳ１１３）。採用したＰＩＮコードの表示端末が設定端末である場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄ（第２の情報）をセットし、Ｄｅｖｉｃｅ  Ｐａｓｓｗｏｒｄ  ＩＤにＲｅｇｉｓｔｒａｒ−ｓｐｅｃｉｆｉｅｄ（希望表示端末情報）をセットしたＰｒｏｂｅ  ＲｅｓｐｏｎｓｅをＰｒｏｂｅ  Ｒｅｑｕｅｓｔの送信元の参加希望端末へ送信する（ステップＳ１１４）。これにより、設定端末がＰＩＮコードの表示端末に決定されたことが参加希望端末に通知される。
【００４６】
続いて、決定部１１は、Ｒｅｇｉｓｔｒａｔｉｏｎが開始されたか否かを判定する（ステップＳ１１５）。Ｒｅｇｉｓｔｒａｔｉｏｎは、設定端末が所属しているネットワークに関する無線およびセキュリティ情報を、ＥＡＰメッセージを用いて設定端末から参加希望端末へ安全に送信することである。Ｒｅｇｉｓｔｒａｔｉｏｎの詳細は非特許文献１に記載されている。Ｒｅｇｉｓｔｒａｔｉｏｎの開始については、ＥＡＰ−Ｒｅｓｐｏｎｓｅ（Ｍ１）の送信または受信によりＲｅｇｉｓｔｒａｔｉｏｎの開始としてもよいし、例えばＥＡＰＯＬ−ＳｔａｒｔあるいはＥＡＰ−Ｒｅｑｕｅｓｔ（Ｓｔａｒｔ）の送信または受信によりＲｅｇｉｓｔｒａｔｉｏｎの開始としてもよいし、それ以外のタイミングでＲｅｇｉｓｔｒａｔｉｏｎの開始としてもよい。
【００４７】
Ｒｅｇｉｓｔｒａｔｉｏｎが開始されていない場合、ステップＳ１１５の判定が再度行われる。Ｒｅｇｉｓｔｒａｔｉｏｎが開始された場合、設定部１２はＰＩＮコードを生成し、表示部１４にＰＩＮコードを表示させる（ステップＳ１１６）。ＰＩＮコードには主に８桁の数字が使われる。その生成方法に関しては非特許文献１に記載されている。続いて、設定部１２は、送信部１６および受信部１７を介して参加希望端末と各種メッセージを送受信し、無線通信の設定に係るＲｅｇｉｓｔｒａｔｉｏｎを実施する（ステップＳ１２１）。Ｒｅｇｉｓｔｒａｔｉｏｎで交換した暗号鍵等の情報は記憶部１５に記録される。Ｒｅｇｉｓｔｒａｔｉｏｎが終了するとセットアップが終了する。
【００４８】
ステップＳ１１３において、採用したＰＩＮコードの表示端末が設定端末でない場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄ（第２の情報）をセットし、Ｄｅｖｉｃｅ  Ｐａｓｓｗｏｒｄ  ＩＤにＤｅｆａｕｌｔ（希望端末情報）をセットしたＰｒｏｂｅ  ＲｅｓｐｏｎｓｅをＰｒｏｂｅ  Ｒｅｑｕｅｓｔの送信元の参加希望端末へ送信する（ステップＳ１１７）。これにより、参加希望端末がＰＩＮコードの表示端末に決定されたことが参加希望端末に通知される。
【００４９】
続いて、決定部１１は、Ｒｅｇｉｓｔｒａｔｉｏｎが開始されたか否かを判定する（ステップＳ１１８）。Ｒｅｇｉｓｔｒａｔｉｏｎが開始されていない場合、ステップＳ１１８の判定が再度行われる。Ｒｅｇｉｓｔｒａｔｉｏｎが開始された場合、設定部１２は表示部１４にＰＩＮコードの入力画面を表示させる（ステップＳ１１９）。
【００５０】
設定部１２はＰＩＮコードの入力待ちとなり、ＰＩＮコードが入力されたか否かを判定する（ステップＳ１２０）。ＰＩＮコードが入力されていない場合、ステップＳ１２０の判定が再度行われる。ＰＩＮコードが入力された場合、設定部１２は、送信部１６および受信部１７を介して参加希望端末と各種メッセージを送受信し、無線通信の設定に係るＲｅｇｉｓｔｒａｔｉｏｎを実施する（ステップＳ１２１）。Ｒｅｇｉｓｔｒａｔｉｏｎで交換した暗号鍵等の情報は記憶部１５に記録される。Ｒｅｇｉｓｔｒａｔｉｏｎが終了するとセットアップが終了する。
【００５１】
図５は、ＰＩＮ方式によるセットアップの手順を示しており、主に参加希望端末側の動作手順を示している。図５に示す手順の概要は以下の通りである。
（１）ＰＩＮコードを表示する表示端末の役割を、設定端末、参加希望端末のどちらが担うのかを仮決定する。
（２）仮決定の内容に応じた値をＰｒｏｂｅ  Ｒｅｑｕｅｓｔにセットして送信する。
（３）設定端末から送信されたＰｒｏｂｅ  Ｒｅｓｐｏｎｓｅを受信し、設定端末がＰＩＮコードの表示、入力いずれも可能である場合は、Ｐｒｏｂｅ  Ｒｅｓｐｏｎｓｅに含まれるＤｅｖｉｃｅ  Ｐａｓｓｗｏｒｄ  ＩＤの値に従い、ＰＩＮコードの表示端末を採用する。
（４）採用した内容に従い、ＰＩＮコードの生成・表示、またはＰＩＮコードの入力受付を行う。
【００５２】
以下、図５の詳細を説明する。なお、図５に示す手順に従って動作する参加希望端末は、図１に示す無線通信端末１であるものとする。
【００５３】
決定部１１は、ステップＳ１０１で仮決定した表示端末の役割を担う端末が参加希望端末であるか否かを判定する（ステップＳ１３０）。表示端末の役割を担う端末が参加希望端末でない場合、送信部１６は、Ｃｏｎｆｉｇ  ＭｅｔｈｏｄｓにＤｉｓｐｌａｙ、Ｋｅｙｐａｄ（第１の情報）をセットし、Ｄｅｖｉｃｅ  Ｐａｓｓｗｏｒｄ  ＩＤにＲｅｇｉｓｔｒａｒ−ｓｐｅｃｉｆｉｅｄ（仮表示端末情報）をセットしたＰｒｏｂｅ  Ｒｅｑｕｅｓｔを送信する（ステップＳ１３１）。Ｐｒｏｂｅ  Ｒｅｑｕｅｓｔは、例えば電波が届く範囲内の全端末へのブロードキャストで送信されるが、特定のネットワーク内の全端末へ送信したり、特定の端末へ送信したりすることも可能である。表示端末の役割を担う端末が参加希望端末である場合、送信部１６は、Ｃｏｎｆｉｇ  ＭｅｔｈｏｄｓにＤｉｓｐｌａｙ、Ｋｅｙｐａｄ（第１の情報）をセットし、Ｄｅｖｉｃｅ  Ｐａｓｓｗｏｒｄ  ＩＤにＤｅｆａｕｌｔ（仮表示端末情報）をセットしたＰｒｏｂｅ  Ｒｅｑｕｅｓｔを送信する（ステップＳ１３２）。
【００５４】
続いて、決定部１１は、Ｐｒｏｂｅ  Ｒｅｓｐｏｎｓｅを受信したか否かを判定する（ステップＳ１３３）。Ｐｒｏｂｅ  Ｒｅｓｐｏｎｓｅを受信していない場合、再度ステップＳ１３３の処理が行われる。Ｐｒｏｂｅ  Ｒｅｓｐｏｎｓｅを受信した場合、決定部１１は、Ｐｒｏｂｅ  Ｒｅｓｐｏｎｓｅ内のＳｅｌｅｃｔｅｄ  Ｒｅｇｉｓｔｒａｒ  Ｃｏｎｆｉｇ  ＭｅｔｈｏｄｓにＤｉｓｐｌａｙまたはＬａｂｅｌ（第２の情報）が含まれるか否かを判定する（ステップＳ１３４）。この判定は、Ｐｒｏｂｅ  Ｒｅｓｐｏｎｓｅを送信した設定端末の表示能力に関する判定である。
【００５５】
Ｓｅｌｅｃｔｅｄ  Ｒｅｇｉｓｔｒａｒ  Ｃｏｎｆｉｇ  ＭｅｔｈｏｄｓにＤｉｓｐｌａｙまたはＬａｂｅｌが含まれる場合、決定部１１は、Ｓｅｌｅｃｔｅｄ  Ｒｅｇｉｓｔｒａｒ  Ｃｏｎｆｉｇ  ＭｅｔｈｏｄｓにＫｅｙｐａｄ（第２の情報）が含まれるか否かを判定する（ステップＳ１３５）。この判定は、Ｐｒｏｂｅ  Ｒｅｓｐｏｎｓｅを送信した設定端末の入力能力に関する判定である。
【００５６】
Ｓｅｌｅｃｔｅｄ  Ｒｅｇｉｓｔｒａｒ  Ｃｏｎｆｉｇ  ＭｅｔｈｏｄｓにＫｅｙｐａｄが含まれる場合、決定部１１は、Ｐｒｏｂｅ  Ｒｅｓｐｏｎｓｅ内のＤｅｖｉｃｅ  Ｐａｓｓｗｏｒｄ  ＩＤがＤｅｆａｕｌｔ（希望表示端末情報）の場合には参加希望端末をＰＩＮコードの表示端末として採用し、Ｄｅｖｉｃｅ  Ｐａｓｓｗｏｒｄ  ＩＤがＲｅｇｉｓｔｒａｒ−ｓｐｅｃｉｆｉｅｄ（希望表示端末情報）の場合には設定端末をＰＩＮコードの表示端末として採用すると決定し、決定の結果を記憶部１５に記録する（ステップＳ１３６）。Ｓｅｌｅｃｔｅｄ  Ｒｅｇｉｓｔｒａｒ  Ｃｏｎｆｉｇ  ＭｅｔｈｏｄｓにＫｅｙｐａｄが含まれない場合、決定部１１は、設定端末をＰＩＮコードの表示端末として採用すると決定し、決定の結果を記憶部１５に記録する（ステップＳ１３７）。
【００５７】
ステップＳ１３４において、Ｐｒｏｂｅ  Ｒｅｓｐｏｎｓｅ内のＳｅｌｅｃｔｅｄ  Ｒｅｇｉｓｔｒａｒ  Ｃｏｎｆｉｇ  ＭｅｔｈｏｄｓにＤｉｓｐｌａｙもＬａｂｅｌも含まれない場合、決定部１１は、Ｓｅｌｅｃｔｅｄ  Ｒｅｇｉｓｔｒａｒ  Ｃｏｎｆｉｇ  ＭｅｔｈｏｄｓにＫｅｙｐａｄ（第２の情報）が含まれるか否かを判定する（ステップＳ１３８）。この判定は、Ｐｒｏｂｅ  Ｒｅｓｐｏｎｓｅを送信した設定端末の入力能力に関する判定である。
【００５８】
Ｓｅｌｅｃｔｅｄ  Ｒｅｇｉｓｔｒａｒ  Ｃｏｎｆｉｇ  ＭｅｔｈｏｄｓにＫｅｙｐａｄが含まれる場合、決定部１１は、参加希望端末をＰＩＮコードの表示端末として採用すると決定し、決定の結果を記憶部１５に記録する（ステップＳ１３９）。Ｓｅｌｅｃｔｅｄ  Ｒｅｇｉｓｔｒａｒ  Ｃｏｎｆｉｇ  ＭｅｔｈｏｄｓにＫｅｙｐａｄが含まれない場合、処理が終了する。
【００５９】
ステップＳ１３４〜Ｓ１３９では、決定部１１は、設定端末がＰＩＮコードの表示端末として希望する端末の情報、または設定端末の表示能力・入力能力の情報に基づいて、表示端末の役割を担う端末を決定している。ステップＳ１３６では、ステップＳ１３４，Ｓ１３５での判定により設定端末の表示能力・入力能力は十分であるため、設定端末と参加希望端末のどちらが表示端末になってもよい。そこで、Ｄｅｖｉｃｅ  Ｐａｓｓｗｏｒｄ  ＩＤによって設定端末がＰＩＮコードの表示端末として希望する希望する端末が表示端末として採用される。
【００６０】
ステップＳ１３７では、ステップＳ１３４，Ｓ１３５での判定により設定端末の表示能力は十分であるが入力能力は十分でないため、設定端末がＰＩＮコードの表示端末として採用され、参加希望端末がＰＩＮコードの入力端末となる。ステップＳ１３９では、ステップＳ１３４，Ｓ１３８での判定により設定端末の表示能力は十分でないが入力能力は十分であるため、参加希望端末がＰＩＮコードの表示端末として採用され、設定端末がＰＩＮコードの入力端末となる。
【００６１】
ステップＳ１３６，Ｓ１３７，Ｓ１３９に続いて、決定部１１は、Ｒｅｇｉｓｔｒａｔｉｏｎが開始されたか否かを判定する（ステップＳ１４０）。Ｒｅｇｉｓｔｒａｔｉｏｎが開始されていない場合、ステップＳ１４０の判定が再度行われる。Ｒｅｇｉｓｔｒａｔｉｏｎが開始された場合、決定部１１は、ステップＳ１３６，Ｓ１３７，Ｓ１３９のいずれかで採用したＰＩＮコードの表示端末が参加希望端末であるか否かを判定する（ステップＳ１４１）。
【００６２】
採用したＰＩＮコードの表示端末が参加希望端末である場合、設定部１２はＰＩＮコードを生成し、表示部１４にＰＩＮコードを表示させる（ステップＳ１４２）。続いて、設定部１２は、送信部１６および受信部１７を介して参加希望端末と各種メッセージを送受信し、無線通信の設定に係るＲｅｇｉｓｔｒａｔｉｏｎを実施する（ステップＳ１４５）。Ｒｅｇｉｓｔｒａｔｉｏｎで交換した暗号鍵等の情報は記憶部１５に記録される。Ｒｅｇｉｓｔｒａｔｉｏｎが終了するとセットアップが終了する。
【００６３】
ステップＳ１４１において、採用したＰＩＮコードの表示端末が参加希望端末でない場合、設定部１２は表示部１４にＰＩＮコードの入力画面を表示させる（ステップＳ１４３）。設定部１２はＰＩＮコードの入力待ちとなり、ＰＩＮコードが入力されたか否かを判定する（ステップＳ１４４）。ＰＩＮコードが入力されていない場合、ステップＳ１４４の判定が再度行われる。ＰＩＮコードが入力された場合、設定部１２は、送信部１６および受信部１７を介して参加希望端末と各種メッセージを送受信し、無線通信の設定に係るＲｅｇｉｓｔｒａｔｉｏｎを実施する（ステップＳ１４５）。Ｒｅｇｉｓｔｒａｔｉｏｎで交換した暗号鍵等の情報は記憶部１５に記録される。Ｒｅｇｉｓｔｒａｔｉｏｎが終了するとセットアップが終了する。
【００６４】
図６は設定端末の動作の例を示している。設定端末はセットアップが開始されると、一例であるが、参加希望端末をＰＩＮコードの表示端末として仮決定する（ステップＳ１０１に対応）。自端末が設定端末であり（ステップＳ１０２に対応）、参加希望端末をＰＩＮコードの表示端末として仮決定したので（ステップＳ１０３に対応）、設定端末は、Ｓｅｌｅｃｔｅｄ  Ｒｅｇｉｓｔｒａｒ  Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＤｅｆａｕｌｔをセットしたＢｅａｃｏｎを送信し、その後もＢｅａｃｏｎを送信すべき所定のタイミングでＢｅａｃｏｎの送信を繰り返す（ステップＳ１０４に対応）。
【００６５】
設定端末は、Ｐｒｏｂｅ  Ｒｅｑｕｅｓｔを受信すると（ステップＳ１０６に対応）、Ｐｒｏｂｅ  Ｒｅｑｕｅｓｔ内のＣｏｎｆｉｇ  ＭｅｔｈｏｄｓがＤｉｓｐｌａｙとＫｅｙｐａｄの両方を含んでおり（ステップＳ１０７，Ｓ１０８に対応）、Ｄｅｖｉｃｅ  Ｐａｓｓｗｏｒｄ  ＩＤがＲｅｇｉｓｔｒａｒ−ｓｐｅｃｉｆｉｅｄであるため、設定端末をＰＩＮコードの表示端末として採用する（ステップＳ１０９に対応）。
【００６６】
採用したＰＩＮコード表示端末は設定端末なので（ステップ１１３に対応）、設定端末は、Ｓｅｌｅｃｔｅｄ  Ｒｅｇｉｓｔｒａｒ  Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットしたＰｒｏｂｅ  ＲｅｓｐｏｎｓｅをＰｒｏｂｅ  Ｒｅｑｕｅｓｔの送信元の参加希望端末へ送信する（ステップＳ１１４に対応）。
【００６７】
その後、設定端末は参加希望端末との間でＥＡＰの各種メッセージの送受信を行い、ＥＡＰ−Ｒｅｓｐｏｎｓｅ（Ｍ１）を受信してＲｅｇｉｓｔｒａｔｉｏｎが開始されると（ステップＳ１１５に対応）、設定端末はＰＩＮコードを生成して表示する（ステップＳ１１６に対応）。続いて、設定端末はＲｅｇｉｓｔｒａｔｉｏｎを実施し（ステップＳ１２１に対応）、Ｒｅｇｉｓｔｒａｔｉｏｎが終了するとＰＩＮ方式によるセットアップを終了する。
【００６８】
図７は参加希望端末の動作の例を示している。参加希望端末はセットアップが開始されると、一例であるが、参加希望端末をＰＩＮコードの表示端末として仮決定する（ステップＳ１０１に対応）。自端末が参加希望端末であり（ステップＳ１０２に対応）、参加希望端末をＰＩＮコードの表示端末として仮決定したので（ステップＳ１３０に対応）、Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＤｅｆａｕｌｔをセットしたＰｒｏｂｅ  Ｒｅｑｕｅｓｔを送信する（ステップＳ１３２に対応）。
【００６９】
参加希望端末は、Ｐｒｏｂｅ  Ｒｅｓｐｏｎｓｅを受信すると（ステップＳ１３３に対応）、Ｐｒｏｂｅ  Ｒｅｓｐｏｎｓｅ内のＣｏｎｆｉｇ  ＭｅｔｈｏｄｓがＤｉｓｐｌａｙとＫｅｙｐａｄの両方を含んでおり（ステップＳ１３４，Ｓ１３５に対応）、Ｄｅｖｉｃｅ  Ｐａｓｓｗｏｒｄ  ＩＤがＲｅｇｉｓｔｒａｒ−ｓｐｅｃｉｆｉｅｄであるため設定端末をＰＩＮコードの表示端末として採用する（ステップＳ１３６に対応）。
【００７０】
その後、参加希望端末は設定端末との間でＥＡＰの各種メッセージの送受信を行い、ＥＡＰ−Ｒｅｓｐｏｎｓｅ（Ｍ１）を送信してＲｅｇｉｓｔｒａｔｉｏｎが開始されると（ステップＳ１４０に対応）、設定端末をＰＩＮコードの表示端末として採用したため（ステップＳ１４１に対応）、参加希望端末はＰＩＮコードの入力画面を表示し（ステップＳ１４３に対応）、ユーザからＰＩＮコードが入力されるのを待つ（ステップＳ１４４に対応）。ＰＩＮコードが入力されると参加希望端末はＲｅｇｉｓｔｒａｔｉｏｎを実施し（ステップＳ１４５に対応）、Ｒｅｇｉｓｔｒａｔｉｏｎが終了するとＰＩＮ方式によるセットアップを終了する。
【００７１】
本実施形態との比較のため、従来の設定端末と参加希望端末の動作を説明する。図１６は従来の設定端末の動作を示している。設定端末はセットアップが開始されると、一例であるが、参加希望端末をＰＩＮコードの表示端末として決定する。設定端末は、Ｓｅｌｅｃｔｅｄ  Ｒｅｇｉｓｔｒａｒ  Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＤｅｆａｕｌｔをセットしたＢｅａｃｏｎを送信し、その後もＢｅａｃｏｎを送信すべき所定のタイミングでＢｅａｃｏｎの送信を繰り返す。
【００７２】
設定端末は、Ｐｒｏｂｅ  Ｒｅｑｕｅｓｔを受信するが、Ｐｒｏｂｅ  Ｒｅｑｕｅｓｔ内のＤｅｖｉｃｅ  Ｐａｓｓｗｏｒｄ  ＩＤがＲｅｇｉｓｔｒａｒ−ｓｐｅｃｉｆｉｅｄ、すなわち参加希望端末が設定端末をＰＩＮコードの表示端末として希望していても、一旦決定したＰＩＮコードの表示端末を変更しない。そのため、ＥＡＰ−Ｒｅｓｐｏｎｓｅ（Ｍ１）を受信してＲｅｇｉｓｔｒａｔｉｏｎが開始されても、設定端末は自身が表示端末ではないことから、ＰＩＮコードの入力画面を表示し、ユーザからＰＩＮコードが入力されるのを待つ。
【００７３】
一方、設定端末をＰＩＮコードの表示端末として希望している参加希望端末は、ＥＡＰ−Ｒｅｓｐｏｎｓｅ（Ｍ１）を送信してＲｅｇｉｓｔｒａｔｉｏｎが開始された後、ＰＩＮコードの入力画面を表示し、ユーザからＰＩＮコードが入力されるのを待つ。このように、設定端末と参加希望端末の双方がＰＩＮコードの表示端末ではなく入力端末として動作するため、Ｒｅｇｉｓｔｒａｔｉｏｎに失敗してＲｅｇｉｓｔｒａｔｉｏｎが繰り返され、タイムアウトによってセットアップに失敗してしまう。
【００７４】
図１７は従来の参加希望端末の動作を示している。参加希望端末はセットアップが開始されると、一例であるが、参加希望端末をＰＩＮコードの表示端末として決定する。参加端末は、Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＤｅｆａｕｌｔをセットしたＰｒｏｂｅ  Ｒｅｑｕｅｓｔを送信する。
【００７５】
参加希望端末は、Ｐｒｏｂｅ  Ｒｅｓｐｏｎｓｅを受信するが、Ｐｒｏｂｅ  Ｒｅｓｐｏｎｓｅ内のＤｅｖｉｃｅ  Ｐａｓｓｗｏｒｄ  ＩＤがＲｅｇｉｓｔｒａｒ−ｓｐｅｃｉｆｉｅｄ、すなわち設定端末が設定端末をＰＩＮコードの表示端末として希望していても、一旦決定したＰＩＮコードの表示端末を変更しない。そのため、ＥＡＰ−Ｒｅｓｐｏｎｓｅ（Ｍ１）を送信してＲｅｇｉｓｔｒａｔｉｏｎが開始されても、参加希望端末は自身が表示端末であることから、ＰＩＮコードを生成して表示する。
【００７６】
一方、設定端末をＰＩＮコードの表示端末として希望している設定端末は、ＥＡＰ−Ｒｅｓｐｏｎｓｅ（Ｍ１）を受信してＲｅｇｉｓｔｒａｔｉｏｎが開始された後、ＰＩＮコードを生成して表示する。このように、設定端末と参加希望端末の双方がＰＩＮコードの表示端末として動作するため、Ｒｅｇｉｓｔｒａｔｉｏｎに失敗してＲｅｇｉｓｔｒａｔｉｏｎが繰り返され、タイムアウトによってセットアップに失敗してしまう。
【００７７】
従来、アドホックモードにおいてＷＰＳを適用しＰＩＮ方式によりセットアップを行う際、設定端末と参加希望端末の一方が決定したＰＩＮコードの表示端末と他方が希望するＰＩＮコードの表示端末とが一致する場合にはセットアップが成功するが、設定端末と参加希望端末の一方が決定したＰＩＮコードの表示端末と他方が希望するＰＩＮコードの表示端末とが一致しない場合には上記のようにセットアップが失敗する。
【００７８】
これに対して、本実施形態では、設定端末と参加希望端末は、表示部の有無および入力部の有無に関する情報を交換し、相手の表示能力・入力能力と、ＰＩＮコードの表示端末として相手が希望する端末とを考慮して、ＰＩＮコードの表示端末を決定する。特に、自身がＰＩＮコードの表示端末として希望する端末と、相手がＰＩＮコードの表示端末として希望する端末とが異なる場合でも、相手側の意向に従ってＰＩＮコードの表示端末の役割を担う端末を決定する。これによって、無線ネットワークの表示用の識別情報を表示する表示端末の役割を決定し、無線通信に係る接続設定の失敗を低減することができ、ユーザの利便性を高めることができる。
【００７９】
なお、Ｂｅａｃｏｎ、Ｐｒｏｂｅ  Ｒｅｓｐｏｎｓｅ、およびＰｒｏｂｅ  Ｒｅｑｕｅｓｔ内のＣｏｎｆｉｇ  Ｍｅｔｈｏｄｓに格納される値として、フロー中に明示された値に加え、自端末がサポートしている他のセットアップ手段（例えばＰｕｓｈＢｕｔｔｏｎ（押しボタン方式）等）を併記しても良い。
【００８０】
（第２の実施形態）
次に、本発明の第２の実施形態を説明する。本実施形態による無線通信端末の構成は図１と同様である。同一のアドホックネットワークに所属する複数の端末がＢｅａｃｏｎを送信しあっている状況で参加希望端末がＰｒｏｂｅ  Ｒｅｑｕｅｓｔを送信した場合、非特許文献２では、最後にＢｅａｃｏｎを送信した端末がＰｒｏｂｅ  Ｒｅｓｐｏｎｓｅを送信することが定められている。このため、最後にＢｅａｃｏｎを送信した端末が設定端末ではない場合、参加希望端末は設定端末との間でセットアップを行うことができない。本実施形態は、参加希望端末との間でセットアップを行う設定端末とは異なる参加中端末がＰｒｏｂｅ  Ｒｅｓｐｏｎｓｅを送信する場合でも、参加中端末が、ＰＩＮコードの表示端末の役割を担う端末として決定した端末を設定端末に通知することによって、参加希望端末と設定端末との間でセットアップを行うことを可能とするものである。
【００８１】
図８および図９は、ＰＩＮ方式によるセットアップの手順を示しており、主に設定端末側の動作手順を示している。図８および図９に示す手順の概要は以下の通りである。
（１）ＰＩＮコードを表示する表示端末の役割を、設定端末、参加希望端末のどちらが担うのかを仮決定する。
（２）仮決定の内容に応じた値と設定端末のＭＡＣアドレスとをセットした開始通知をアドホックネットワーク内の参加中端末へ送信する。
（３）仮決定の内容に応じた値をＢｅａｃｏｎにセットして繰り返し送信する。
（４）参加希望端末から送信されたＰｒｏｂｅ  Ｒｅｑｕｅｓｔを受信した場合、図３および図４と同じ動作を行う。
（５）Ｐｒｏｂｅ  Ｒｅｑｕｅｓｔを受信せず、決定通知を受信した場合、決定通知に含まれるＤｅｖｉｃｅ  Ｐａｓｓｗｏｒｄ  ＩＤの値に従い、ＰＩＮコードの表示端末を採用する。決定通知は、参加希望端末からのＰｒｏｂｅ  Ｒｅｑｕｅｓｔを受けて、表示端末の役割を担う端末を決定した参加中端末から送信される、その旨を通知するメッセージである。
（６）採用した内容に従い、ＰＩＮコードの生成・表示、またはＰＩＮコードの入力受付を行う。
【００８２】
以下、図８および図９の詳細を説明する。なお、図８および図９に示す手順に従って動作する設定端末は、図１に示す無線通信端末１であるものとする。決定部１１は、自端末が参加中端末であるか否かを判定する（ステップＳ１００１）。記憶部１５には、自端末が設定端末、参加中端末、参加希望端末のいずれであるのかを識別する情報が記憶されており、ステップＳ１００１ではこの情報に基づいて判定が行われる。自端末が参加中端末であった場合、処理は図１２のステップＳ１５０に移行する。自端末が参加中端末でなかった場合、処理はステップＳ１０１に移行する。ステップＳ１０１〜Ｓ１０３の処理は図３と同様である。
【００８３】
ステップＳ１０３において、ステップＳ１０１で仮決定した表示端末の役割を担う端末が設定端末でない場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＤｅｆａｕｌｔをセットし、自身のＭＡＣアドレスを含む開始通知を送信する（ステップＳ１０３１）。この開始通知は、ブロードキャストにより、または同一アドホックネットワーク内の全端末を宛先とすることにより、同一アドホックネットワーク内の他の端末へ送信される。
【００８４】
続いて、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＤｅｆａｕｌｔをセットしたＢｅａｃｏｎを所定のタイミングで繰り返し送信する（ステップＳ１０４）。
【００８５】
ステップＳ１０３において、ステップＳ１０１で仮決定した表示端末の役割を担う端末が設定端末である場合、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットし、自身のＭＡＣアドレスを含む開始通知を送信する（ステップＳ１０３２）。この開始通知は、ブロードキャストにより、または同一アドホックネットワーク内の全端末を宛先とすることにより、同一アドホックネットワーク内の他の端末へ送信される。
【００８６】
続いて、送信部１６は、Ｓｅｌｅｃｔｅｄ  Ｒｅｇｉｓｔｒａｒ  Ｃｏｎｆｉｇ  ＭｅｔｈｏｄｓにＤｉｓｐｌａｙ、Ｋｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットしたＢｅａｃｏｎを所定のタイミングで繰り返し送信する（ステップＳ１０５）。
【００８７】
続いて、決定部１１は、Ｐｒｏｂｅ  Ｒｅｑｕｅｓｔを受信したか否かを判定する（ステップＳ１０６）。Ｐｒｏｂｅ  Ｒｅｑｕｅｓｔを受信した場合、決定部１１は、Ｂｅａｃｏｎを最後に送信した端末が自端末であるか否かを判定する（ステップＳ１０７０）。Ｂｅａｃｏｎを最後に送信した端末が自端末でない場合、ステップＳ１０６の判定が再度行われる。Ｂｅａｃｏｎを最後に送信した端末が自端末であった場合、処理はステップＳ１０７に移行する。ステップＳ１０７〜Ｓ１２１の処理は図３および図４と同様である。
【００８８】
ステップＳ１０６においてＰｒｏｂｅ  Ｒｅｑｕｅｓｔを受信していない場合、決定部１１は、決定通知を受信したか否かを判定する（ステップＳ１０６１）。決定通知を受信していない場合、ステップＳ１０６の判定が再度行われる。決定通知を受信した場合、決定部１１は、決定通知内のＤｅｖｉｃｅ  Ｐａｓｓｗｏｒｄ  ＩＤがＤｅｆａｕｌｔの場合には参加希望端末をＰＩＮコードの表示端末として採用し、Ｄｅｖｉｃｅ  Ｐａｓｓｗｏｒｄ  ＩＤがＲｅｇｉｓｔｒａｒ−ｓｐｅｃｉｆｉｅｄの場合には設定端末をＰＩＮコードの表示端末として採用すると決定し、決定の結果を記憶部１５に記録する（ステップＳ１０６２）。
【００８９】
続いて、決定部１１は、ステップＳ１０６２で採用したＰＩＮコードの表示端末が設定端末であるか否かを判定する（ステップＳ１０６３）。採用したＰＩＮコードの表示端末が設定端末である場合、処理はステップＳ１１５に移行する。採用したＰＩＮコードの表示端末が設定端末でない場合、処理はステップＳ１１８に移行する。したがって、設定端末は、決定通知を受信した場合、決定通知の内容に従ってＰＩＮコードの表示端末を決定し、ＰＩＮコードの表示端末または入力端末として動作する。
【００９０】
図１０および図１１は、ＰＩＮ方式によるセットアップの手順を示しており、主に参加希望端末側の動作手順を示している。図１０および図１１に示す手順の概要は以下の通りである。
（１）ＰＩＮコードを表示する表示端末の役割を、設定端末、参加希望端末のどちらが担うのかを仮決定する。
（２）仮決定の内容に応じた値をＰｒｏｂｅ  Ｒｅｑｕｅｓｔにセットして送信する。
（３）他の端末から送信されたＰｒｏｂｅ  Ｒｅｓｐｏｎｓｅを受信し、他の端末がＰＩＮコードの表示、入力いずれも可能である場合は、Ｐｒｏｂｅ  Ｒｅｓｐｏｎｓｅに含まれるＤｅｖｉｃｅ  Ｐａｓｓｗｏｒｄ  ＩＤの値に従い、ＰＩＮコードの表示端末を採用する。
（４）Ｐｒｏｂｅ  Ｒｅｓｐｏｎｓｅに設定端末のＭＡＣアドレスを示す情報が含まれていればＲｅｇｉｓｔｒａｔｉｏｎの対象をそのＭＡＣアドレスの端末（設定端末）とし、Ｐｒｏｂｅ  Ｒｅｓｐｏｎｓｅに設定端末のＭＡＣアドレスを示す情報が含まれていなければＲｅｇｉｓｔｒａｔｉｏｎの対象をＰｒｏｂｅ  Ｒｅｓｐｏｎｓｅの送信元の端末とする。
（５）採用した内容に従い、ＰＩＮコードの生成・表示、またはＰＩＮコードの入力受付を行う。
【００９１】
以下、図１０および図１１の詳細を説明する。なお、図１０および図１１に示す手順に従って動作する参加希望端末は、図１に示す無線通信端末１であるものとする。ステップＳ１３０〜Ｓ１３９の処理は図５と同様である。
【００９２】
ステップＳ１３６，Ｓ１３７，Ｓ１３９に続いて、決定部１１は、他の端末から受信した（ステップＳ１３３に対応）Ｐｒｏｂｅ  Ｒｅｓｐｏｎｓｅに設定端末のＭＡＣアドレスが含まれているか否かを判定する（ステップＳ１３９１）。Ｐｒｏｂｅ  Ｒｅｓｐｏｎｓｅには設定端末のＭＡＣアドレスを格納するフィールドがあり、ステップＳ１３９１では、このフィールドに値が格納されているか否かの判定が行われる。
【００９３】
Ｐｒｏｂｅ  Ｒｅｓｐｏｎｓｅに設定端末のＭＡＣアドレスが含まれている場合、決定部１１は、ＭＡＣアドレスが示す設定端末をＲｅｇｉｓｔｒａｔｉｏｎの対象（セットアップの相手）と決定する（ステップＳ１３９２）。Ｐｒｏｂｅ  Ｒｅｓｐｏｎｓｅに設定端末のＭＡＣアドレスが含まれていない場合、決定部１１は、Ｐｒｏｂｅ  Ｒｅｓｐｏｎｓｅの送信元の端末をＲｅｇｉｓｔｒａｔｉｏｎの対象（セットアップの相手）と決定する（ステップＳ１３９３）。
【００９４】
ステップＳ１３９２，Ｓ１３９３に続いて、処理はステップＳ１４０に移行する。ステップＳ１４０〜Ｓ１４５の処理は図４と同様である。
【００９５】
図１２および図１３は、ＰＩＮ方式によるセットアップの手順を示しており、主に参加中端末側の動作手順を示している。図１２および図１３に示す手順の概要は以下の通りである。
（１）設定端末から送信される開始通知を受信すると、開始通知内の情報を用いてＢｅａｃｏｎを送信する。
（２）開始通知を受信した後で参加希望端末からのＰｒｏｂｅ  Ｒｅｑｕｅｓｔを受信すると、参加希望端末がＰＩＮコードの表示、入力いずれも可能である場合は、Ｐｒｏｂｅ  Ｒｅｑｕｅｓｔに含まれるＤｅｖｉｃｅ  Ｐａｓｓｗｏｒｄ  ＩＤの値に従い、ＰＩＮコードの表示端末を採用する。
（３）採用した内容に従い、Ｐｒｏｂｅ  ＲｅｓｐｏｎｓｅをＰｒｏｂｅ  Ｒｅｑｕｅｓｔの送信元の参加希望端末へ送信する。
（４）Ｐｒｏｂｅ  Ｒｅｓｐｏｎｓｅに含めたＤｅｖｉｃｅ  Ｐａｓｓｗｏｒｄ  ＩＤと同一のＤｅｖｉｃｅ  Ｐａｓｓｗｏｒｄ  ＩＤを含めた決定通知を設定端末へ送信する。
【００９６】
以下、図１２および図１３の詳細を説明する。なお、図１２および図１３に示す手順に従って動作する参加中端末は、図１に示す無線通信端末１であるものとする。
【００９７】
送信部１６は、Ｓｅｌｅｃｔｅｄ  Ｒｅｇｉｓｔｒａｒ  Ｃｏｎｆｉｇ  ＭｅｔｈｏｄｓおよびＤｅｖｉｃｅ  Ｐａｓｓｗｏｒｄ  ＩＤに値をセットしていないＢｅａｃｏｎを所定のタイミングで繰り返し送信する（ステップＳ１５０）。続いて、決定部１１は、Ｐｒｏｂｅ  Ｒｅｑｕｅｓｔを受信したか否かを判定する（ステップＳ１５１）。Ｐｒｏｂｅ  Ｒｅｑｕｅｓｔを受信していない場合、処理はステップＳ１７１に移行する。Ｐｒｏｂｅ  Ｒｅｑｕｅｓｔを受信した場合、決定部１１は、Ｐｒｏｂｅ  Ｒｅｑｕｅｓｔの受信に先立って既に開始通知を受信していたか否かを判定する（ステップＳ１５２）。
【００９８】
Ｐｒｏｂｅ  Ｒｅｑｕｅｓｔの受信に先立って開始通知を受信していない場合、送信部１６は、Ｓｅｌｅｃｔｅｄ  Ｒｅｇｉｓｔｒａｒ  Ｃｏｎｆｉｇ  ＭｅｔｈｏｄｓおよびＤｅｖｉｃｅ  Ｐａｓｓｗｏｒｄ  ＩＤに値をセットしていないＰｒｏｂｅ  ＲｅｓｐｏｎｓｅをＰｒｏｂｅ  Ｒｅｑｕｅｓｔの送信元の参加希望端末へ送信する（ステップＳ１５３）。
【００９９】
続いて、決定部１１は、開始通知を受信したか否かを判定する（ステップＳ１７１）。開始通知を受信していない場合、処理はステップＳ１５１に移行する。開始通知を受信した場合、送信部１６は、開始通知に含まれるＳｅｌｅｃｔｅｄ  Ｒｅｇｉｓｔｒａｒ  Ｃｏｎｆｉｇ  ＭｅｔｈｏｄｓおよびＤｅｖｉｃｅ  Ｐａｓｓｗｏｒｄ  ＩＤの値をそれぞれＳｅｌｅｃｔｅｄ  Ｒｅｇｉｓｔｒａｒ  Ｃｏｎｆｉｇ  ＭｅｔｈｏｄｓおよびＤｅｖｉｃｅ  Ｐａｓｓｗｏｒｄ  ＩＤにセットしたＢｅａｃｏｎを所定のタイミングで繰り返し送信する（ステップＳ１７２）。続いて、処理はステップＳ１５１に移行する。
【０１００】
ステップＳ１５２において開始通知を受信した場合、処理はステップＳ１５７に移行する。ステップＳ１５７〜Ｓ１６２の処理は図３のステップＳ１０７〜Ｓ１１２の処理と同様である。ステップＳ１５７〜Ｓ１６２では、決定部１１は、参加希望端末がＰＩＮコードの表示端末として希望する端末の情報、または参加希望端末の表示能力・入力能力の情報に基づいて、表示端末の役割を担う端末を決定している。
【０１０１】
ステップＳ１５９，Ｓ１６０，Ｓ１６２に続いて、決定部１１は、ステップＳ１５９，Ｓ１６０，Ｓ１６２のいずれかで採用したＰＩＮコードの表示端末が設定端末であるか否かを判定する（ステップＳ１６３）。採用したＰＩＮコードの表示端末が設定端末である場合、送信部１６は、Ｓｅｌｅｃｔｅｄ  Ｒｅｇｉｓｔｒａｒ  Ｃｏｎｆｉｇ  Ｍｅｔｈｏｄｓに、設定端末からの開始通知に含まれていたＤｉｓｐｌａｙ、Ｋｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットし、開始通知に含まれる設定端末のＭＡＣアドレスを含むＰｒｏｂｅ  ＲｅｓｐｏｎｓｅをＰｒｏｂｅ  Ｒｅｑｕｅｓｔの送信元の参加希望端末へ送信する（ステップＳ１６４）。これにより、設定端末がＰＩＮコードの表示端末に決定されたこと、および設定端末のＭＡＣアドレスが参加希望端末に通知される。
【０１０２】
採用したＰＩＮコードの表示端末が設定端末でない場合、送信部１６は、Ｓｅｌｅｃｔｅｄ  Ｒｅｇｉｓｔｒａｒ  Ｃｏｎｆｉｇ  Ｍｅｔｈｏｄｓに設定端末からの開始通知に含まれていたＤｉｓｐｌａｙ、Ｋｅｙｐａｄをセットし、Ｄｅｖｉｃｅ  Ｐａｓｓｗｏｒｄ  ＩＤにＤｅｆａｕｌｔをセットし、開始通知に含まれる設定端末のＭＡＣアドレスを含むＰｒｏｂｅ  ＲｅｓｐｏｎｓｅをＰｒｏｂｅ  Ｒｅｑｕｅｓｔの送信元の参加希望端末へ送信する（ステップＳ１６７）。これにより、参加希望端末がＰＩＮコードの表示端末に決定されたこと、および設定端末のＭＡＣアドレスが参加希望端末に通知される。
【０１０３】
ステップＳ１６４，Ｓ１６７に続いて、送信部１６は、ステップＳ１６４，Ｓ１６７で送信したＰｒｏｂｅ  Ｒｅｓｐｏｎｓｅに含まれているＤｅｖｉｃｅ  Ｐａｓｓｗｏｒｄ  ＩＤの値と同一の値をＤｅｖｉｃｅ  Ｐａｓｓｗｏｒｄ  ＩＤにセットした決定通知を設定端末へ送信する（ステップＳ１７０）。これにより、ＰＩＮコードの表示端末として決定された端末の情報が設定端末に通知される。
【０１０４】
図１４は設定端末の動作の例を示している。設定端末は、セットアップが開始されると、一例であるが、参加中端末ではなく（ステップＳ１００１に対応）参加希望端末をＰＩＮコードの表示端末として仮決定する（ステップＳ１０１に対応）。自端末が設定端末であり（ステップＳ１０２に対応）、参加希望端末をＰＩＮコードの表示端末として仮決定したので（ステップＳ１０３に対応）、Ｓｅｌｅｃｔｅｄ  Ｒｅｇｉｓｔｒａｒ  Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＤｅｆａｕｌｔをセットし、自身のＭＡＣアドレスを含む開始通知を送信する（ステップＳ１０３１に対応）。続いて、設定端末はＢｅａｃｏｎを送信し、その後もＢｅａｃｏｎを送信すべき所定のタイミングでＢｅａｃｏｎの送信を繰り返す（ステップＳ１０４に対応）。
【０１０５】
一方、参加中端末は、セットアップが開始されると、自端末が参加中端末であるので（ステップＳ１００１に対応）、Ｓｅｌｅｃｔｅｄ  Ｒｅｇｉｓｔｒａｒ  Ｃｏｎｆｉｇ  Ｍｅｔｈｏｄｓ，Ｄｅｖｉｃｅ  Ｐａｓｓｗｏｒｄ  ＩＤをセットせずにＢｅａｃｏｎを送信し、その後もＢｅａｃｏｎを送信すべき所定のタイミングでＢｅａｃｏｎの送信を繰り返す（ステップＳ１５０に対応）。
【０１０６】
参加中端末は、開始通知を受信すると（ステップＳ１７１に対応）、開始通知に含まれるＳｅｌｅｃｔｅｄ  Ｒｅｇｉｓｔｒａｒ  Ｃｏｎｆｉｇ  ＭｅｔｈｏｄｓのＤｉｓｐｌａｙ，Ｋｅｙｐａｄと、Ｄｅｖｉｃｅ  Ｐａｓｓｗｏｒｄ  ＩＤのＤｅｆａｕｌｔとをセットしたＢｅａｃｏｎを送信し、その後もＢｅａｃｏｎを送信すべき所定のタイミングでＢｅａｃｏｎの送信を繰り返す（ステップＳ１７２に対応）。
【０１０７】
参加中端末は、参加希望端末からＰｒｏｂｅ  Ｒｅｑｕｅｓｔを受信したとき（ステップＳ１５１に対応）、既に開始通知を受信済みである（ステップＳ１５２に対応）。Ｐｒｏｂｅ  Ｒｅｑｕｅｓｔ内のＣｏｎｆｉｇ  ＭｅｔｈｏｄｓはＤｉｓｐｌａｙとＫｅｙｐａｄの両方を含んでおり（ステップＳ１５７，Ｓ１５８に対応）、Ｄｅｖｉｃｅ  Ｐａｓｓｗｏｒｄ  ＩＤはＲｅｇｉｓｔｒａｒ−ｓｐｅｃｉｆｉｅｄであるため、参加中端末は設定端末をＰＩＮコードの表示端末として採用する（ステップＳ１５９に対応）。
【０１０８】
採用したＰＩＮコード表示端末は設定端末なので（ステップＳ１６３に対応）、参加中端末は、Ｓｅｌｅｃｔｅｄ  Ｒｅｇｉｓｔｒａｒ  Ｃｏｎｆｉｇ  ＭｅｔｈｏｄｓにＤｉｓｐｌａｙとＫｅｙｐａｄを、Ｄｅｖｉｃｅ  Ｐａｓｓｗｏｒｄ  ＩＤにＲｅｇｉｓｔｒａｒ−ｓｐｅｃｉｆｉｅｄをセットし、さらに受信した開始通知に含まれる設定端末のＭＡＣアドレスを含むＰｒｏｂｅ  ＲｅｓｐｏｎｓｅをＰｒｏｂｅ  Ｒｅｑｕｅｓｔの送信元の参加希望端末へ送信する（ステップＳ１６４に対応）。
【０１０９】
参加希望端末が送信したＰｒｏｂｅ  Ｒｅｑｕｅｓｔは設定端末でも受信されるが（ステップＳ１０６に対応）、最後にＢｅａｃｏｎを送信したのは設定端末ではないので（ステップＳ１０７０に対応）、設定端末はＰｒｏｂｅ  Ｒｅｓｐｏｎｓｅを送信しない。参加中端末は、Ｐｒｏｂｅ  Ｒｅｓｐｏｎｓｅの送信後、Ｐｒｏｂｅ  Ｒｅｓｐｏｎｓｅに含めたＤｅｖｉｃｅ  Ｐａｓｓｗｏｒｄ  ＩＤのＲｅｇｉｓｔｒａｒ−ｓｐｅｃｉｆｉｅｄをセットした決定通知を設定端末へ送信する（ステップＳ１７０に対応）。
【０１１０】
設定端末は、Ｐｒｏｂｅ  Ｒｅｑｕｅｓｔを受信するが最後にＢｅａｃｏｎを送信したのは設定端末ではないのでＰｒｏｂｅ  Ｒｅｑｕｅｓｔを処理しない（ステップＳ１０６，Ｓ１０７０に対応）。続けて決定通知を受信し（ステップＳ１０６，Ｓ１０６１に対応）、決定通知に含まれるＤｅｖｉｃｅ  Ｐａｓｓｗｏｒｄ  ＩＤはＲｅｇｉｓｔｒａｒ−ｓｐｅｃｉｆｉｅｄであるため、設定端末をＰＩＮコードの表示端末として採用する（ステップＳ１０６２に対応）。
【０１１１】
採用したＰＩＮコード表示端末が設定端末であるため（ステップＳ１０６３に対応）、設定端末は、その後、参加希望端末との間でＥＡＰの各種メッセージの送受信を行い、ＥＡＰ−Ｒｅｓｐｏｎｓｅ（Ｍ１）を受信してＲｅｇｉｓｔｒａｔｉｏｎが開始されると（ステップＳ１１５に対応）、ＰＩＮコードを生成して表示する（ステップＳ１１６に対応）。続いて、設定端末はＲｅｇｉｓｔｒａｔｉｏｎを実施し（ステップＳ１２１に対応）、Ｒｅｇｉｓｔｒａｔｉｏｎが終了するとＰＩＮ方式によるセットアップを終了する。
【０１１２】
図１５は参加希望端末の動作の例を示している。参加希望端末はセットアップが開始されると、一例であるが、参加中端末ではなく（ステップＳ１００１に対応）設定端末をＰＩＮコードの表示端末として仮決定する（ステップＳ１０１に対応）。自端末が参加希望端末であり（ステップＳ１０２に対応）、設定端末をＰＩＮコードの表示端末として仮決定したので（ステップＳ１３０に対応）、Ｃｏｎｆｉｇ  ＭｅｔｈｏｄｓにＤｉｓｐｌａｙとＫｅｙｐａｄをセットし、Ｄｅｖｉｃｅ  Ｐａｓｓｗｏｒｄ  ＩＤにＲｅｇｉｓｔｒａｒ−ｓｐｅｃｉｆｉｅｄをセットしたＰｒｏｂｅ  Ｒｅｑｕｅｓｔを送信する（ステップＳ１３１に対応）。
【０１１３】
参加希望端末は、Ｐｒｏｂｅ  Ｒｅｓｐｏｎｓｅを受信すると（ステップＳ１３３に対応）、Ｐｒｏｂｅ  Ｒｅｓｐｏｎｓｅ内のＳｅｌｅｃｔｅｄ  Ｒｅｇｉｓｔｒａｒ  Ｃｏｎｆｉｇ  ＭｅｔｈｏｄｓがＤｉｓｐｌａｙとＫｅｙｐａｄの両方を含んでおり（ステップＳ１３４，Ｓ１３５に対応）、Ｄｅｖｉｃｅ  Ｐａｓｓｗｏｒｄ  ＩＤがＲｅｇｉｓｔｒａｒ−ｓｐｅｃｉｆｉｅｄであるため設定端末をＰＩＮコードの表示端末として採用する（ステップＳ１３６に対応）。
【０１１４】
Ｐｒｏｂｅ  Ｒｅｓｐｏｎｓｅは設定端末のＭＡＣアドレスを示す情報を含んでいるので（ステップＳ１３９１に対応）、参加希望端末は、そのＭＡＣアドレスが示す端末（設定端末）をＲｅｇｉｓｔｒａｔｉｏｎの対象と決定する（ステップＳ１３９２に対応）。
【０１１５】
その後、参加希望端末は設定端末との間でＥＡＰの各種メッセージの送受信を行い、ＥＡＰ−Ｒｅｓｐｏｎｓｅ（Ｍ１）を送信してＲｅｇｉｓｔｒａｔｉｏｎが開始されると（ステップＳ１４０に対応）、設定端末をＰＩＮコードの表示端末として採用したため（ステップＳ１４１に対応）、参加希望端末はＰＩＮコードの入力画面を表示し（ステップＳ１４３に対応）、ユーザからＰＩＮコードが入力されるのを待つ（ステップＳ１４４に対応）。ＰＩＮコードが入力されると参加希望端末はＲｅｇｉｓｔｒａｔｉｏｎを実施し（ステップＳ１４５に対応）、Ｒｅｇｉｓｔｒａｔｉｏｎが終了するとＰＩＮ方式によるセットアップを終了する。
【０１１６】
上述したように、本実施形態では、参加中端末は参加希望端末からのＰｒｏｂｅ  Ｒｅｑｕｅｓｔを受けてＰＩＮコードの表示端末を決定し、決定した表示端末を設定端末に通知する。これによって、無線通信に係る接続設定の失敗を低減することができ、ユーザの利便性を高めることができる。
【０１１７】
なお、Ｂｅａｃｏｎ、Ｐｒｏｂｅ  Ｒｅｓｐｏｎｓｅ、開始通知に含めるＳｅｌｅｃｔｅｄ  Ｒｅｇｉｓｔｒａｒ  Ｃｏｎｆｉｇ  Ｍｅｔｈｏｄｓ、およびＰｒｏｂｅ  Ｒｅｑｕｅｓｔに含めるＣｏｎｆｉｇ  Ｍｅｔｈｏｄｓに格納される値として、フロー中に明示された値に加え、自端末がサポートしている他のセットアップ手段（例えばＰｕｓｈＢｕｔｔｏｎ（押しボタン方式）等）を併記しても良い。
【０１１８】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１１９】
１・・・無線通信端末、１０・・・制御部、１１・・・決定部、１２・・・設定部、１３・・・入力部、１４・・・表示部、１５・・・記憶部、１６・・・送信部、１７・・・受信部
【図１】
0005468963.tif 000002
【図２】
0005468963.tif 000003
【図３】
0005468963.tif 000004
【図４】
0005468963.tif 000005
【図５】
0005468963.tif 000006
【図６】
0005468963.tif 000007
【図７】
0005468963.tif 000008
【図８】
0005468963.tif 000009
【図９】
0005468963.tif 000010
【図１０】
0005468963.tif 000011
【図１１】
0005468963.tif 000012
【図１２】
0005468963.tif 000013
【図１３】
0005468963.tif 000014
【図１４】
0005468963.tif 000015
【図１５】
0005468963.tif 000016
【図１６】
0005468963.tif 000017
【図１７】
0005468963.tif 000018